(57)【特許請求の範囲】
【請求項１】
筒部を有する清掃部材を保持するための清掃具用のホルダであって、
上記清掃部材の筒部に挿入可能であり、かつ長棒状の弾性撓み変形可能なロッド部を有する保持部と、この保持部の基端につながる柄と、を備え、
上記ロッド部は、基端側から先端側に向かうにつれて断面積が漸次的に減少するテーパ状の錐形とされていることを特徴とする、清掃具用のホルダ。
【請求項２】
上記保持部は、上記ロッド部に対して上記柄寄りに隣接し、かつ上記柄につながっており、基端側から先端側に向けて先細り状の錐形部を有し、
上記錐形部のテーパ率は、上記ロッド部のテーパ率よりも大とされている、請求項１に記載の清掃具用のホルダ。
【請求項３】
上記ロッド部のテーパ率は、１／２００〜１／５０の範囲である、請求項２に記載の清掃具用のホルダ。
【請求項４】
上記錐形部のテーパ率は、上記ロッド部のテーパ率の１０倍〜１００倍の範囲である、請求項２または３に記載の清掃具用のホルダ。
【請求項５】
上記保持部の先端は、丸みを帯びている、請求項１ないし４のいずれかに記載の清掃具用のホルダ。
【請求項６】
筒部を有する清掃部材と、請求項１ないし５のいずれかに記載のホルダとを備えることを特徴とする、清掃具。
【請求項７】
上記柄の側面の適部には、上記保持部側が開放する屈曲状のフック部が延出して形成されている、請求項６に記載の清掃具。
【請求項８】
上記清掃部材には、上記保持部を挿入した状態で上記筒部の挿入口を絞るための口紐が設けられており、
上記口紐は、上記柄の適部に設けられた係止片に掛け止められている、請求項７に記載に清掃具。
【請求項９】
上記係止片は、上記フック部の外面から突出して形成されている、請求項８に記載の清掃具。
【発明の詳細な説明】
【技術分野】
【０００１】
本発明は、清掃具用のホルダ、およびこのホルダを備えた清掃具に関する。
【背景技術】
【０００２】
従来の清掃具には、たとえば柄の先端部にモップなどの清掃部材を保持する保持部（清掃部）を備えたものがある（たとえば、特許文献１を参照）。同文献に開示された清掃具は、柄の基端側部分が剛性を有する一方、保持部を固定した柄の先端側部分が、棒状にまっすぐ延びており、弾性的に撓むようになっている。このような清掃具によれば、たとえば室内の壁や床、天井といった清掃対象面に対し、使用者は、清掃部材を装着した保持部を押し付けた状態で柄の先端側部分を撓ませることができ、清掃対象面に対して清掃部材を十分接触させることができる。
【０００３】
しかしながら、上記従来の清掃具では、清掃部材が装着される保持部の軸方向の長さは比較的に短くされており、清掃部材についてはサイズが比較的に小さいものとなっている。このため、広範囲の清掃対象面を清掃する場合、従来の清掃具を用いた清掃作業では、その作業効率が悪く、このような点において使い勝手を良くする余地があった。
【先行技術文献】
【特許文献】
【０００４】
【特許文献１】特開平１１−１９０１８号公報
【発明の概要】
【発明が解決しようとする課題】
【０００５】
本発明は、このような事情のもとで考え出されたものであって、保持部に装着する清掃部材としてサイズが大きいものを用いるのに際し、使い勝手が良好な清掃具用のホルダ、およびこのホルダを備えた清掃具を提供することを課題とする。
【課題を解決するための手段】
【０００６】
上記の課題を解決するため、本発明では、次の技術的手段を講じている。
【０００７】
本発明の第１の側面によって提供される清掃用具のホルダは、筒部を有する清掃部材を保持するための清掃具用のホルダであって、上記清掃部材の筒部に挿入可能であり、かつ長棒状の弾性撓み変形可能なロッド部を有する保持部と、この保持部の基端につながる柄と、を備え、上記ロッド部は、基端側から先端側に向かうにつれて断面積が漸次的に減少するテーパ状の錐形とされていることを特徴としている。
【０００８】
好ましい実施の形態においては、上記保持部は、上記ロッド部に対して上記柄寄りに隣接し、かつ上記柄につながっており、基端側から先端側に向けて先細り状の錐形部を有し、上記錐形部のテーパ率は、上記ロッド部のテーパ率よりも大とされている。
【０００９】
好ましい実施の形態においては、上記錐形部の軸方向の長さは、上記ロッド部の軸方向の長さよりも小とされている。
【００１０】
好ましい実施の形態においては、上記錐形部の軸方向の長さは、上記ロッド部の軸方向の長さの１／３０〜１／１０の範囲である。
【００１１】
好ましい実施の形態においては、上記ロッド部のテーパ率は、１／２００〜１／５０の範囲である。
【００１２】
好ましい実施の形態においては、上記錐形部のテーパ率は、上記ロッド部のテーパ率の１０倍〜１００倍の範囲である。
【００１３】
好ましい実施の形態においては、上記保持部の先端は、丸みを帯びている。
【００１４】
本発明の第２の側面によって提供される清掃具は、筒部を有する清掃部材と、上記第１の側面に係るホルダとを備えることを特徴としている。
【００１５】
好ましい実施の形態においては、上記柄の側面の適部には、上記保持部側が開放する屈曲状のフック部が延出して形成されている。
【００１６】
好ましい実施の形態においては、上記清掃部材には、上記保持部を挿入した状態で上記筒部の挿入口を絞るための口紐が設けられており、上記口紐は、上記柄の適部に設けられた係止片に掛け止められている。
【００１７】
好ましい実施の形態においては、上記係止片は、上記フック部の外面から突出して形成されている。
【００１８】
本発明によれば、清掃部材を装着した保持部の先端を清掃対象面に押し付けることにより、長棒状のロッド部を撓ませることができる。このロッド部は、基端側から先端側に向かうにつれて断面積が漸次的に減少するテーパ状とされているので、保持部の先端を清掃対象面に押しつける際には、比較的小さな荷重を付与することによってロッド部の先端寄りの部分をスムーズに撓ませることができる。そして、保持部を押しつける荷重を徐々に大きくすることにより、ロッド部の略全域を撓ませて、比較的にサイズの大きな清掃部材の広範囲を、清掃対象面に接触させることができる。したがって、上記構成によれば、荷重を調節することにより、清掃部材については先端寄りの狭い範囲ないし略全体にわたる広い範囲を適宜切り替えて清掃対象面に接触させることができ、優れた使用感をもって使い勝手良く用いることができる。
【００１９】
本発明のその他の特徴および利点は、添付図面を参照して以下に行う詳細な説明によって、より明らかとなろう。
【図面の簡単な説明】
【００２０】
【図１】本発明に係る清掃具の一例を示す縦断面図である。
【図２】保持部の平面図である。
【図３】清掃部材の平面図である。
【図４】図１に示す清掃具の使用状態の一例を示す縦断面図である。
【図５】図１に示す清掃具の使用状態の一例を示す縦断面図である。
【図６】図１に示す清掃具の使用状態の一例を示す縦断面図である。
【発明を実施するための形態】
【００２１】
以下、本発明の好ましい実施の形態について、図面を参照して具体的に説明する。
【００２２】
図１〜図３は、本発明に係る清掃具の一例を示している。図１に表れているように、本実施形態の清掃具Ａは、たとえば壁や床、天井といった平面状の清掃対象面を清掃するのに適したものであり、保持部１、柄２、および清掃部材３を備える。保持部１および柄２は、互いに連結されて一体となり、清掃部材３を保持するホルダとして用いられる。
【００２３】
図１および図２に表れているように、保持部１は、全体として長尺な棒状とされており、基端側に位置する錐形部１１と、この錐形部１１に対して先端側に隣接してつながるロッド部１２と、ロッド部１２の先端に設けられた球状部１３とを有する。保持部１は、たとえば熱可塑性エラストマー（ＴＰＥ）などの樹脂により一体形成されたものである。
【００２４】
ロッド部１２は、保持部１の長手軸方向Ｘの寸法の大半を占める長棒状とされている。ロッド部１２は、基端側から先端側に向かうにつれて断面積が漸次的に減少するテーパ状の円錐形とされている。ロッド部１２の各部の寸法の一例を挙げると、長手軸方向Ｘの寸法Ｌ１が４００〜４５０ｍｍ程度とされ、基端断面の直径Ｄ１が１２〜１５ｍｍ程度とされ、先端断面の直径Ｄ２が９〜１１ｍｍ程度とされる。また、ロッド部１２のテーパ率（（Ｄ１−Ｄ２）／Ｌ１）は、たとえば１／２００〜１／５０程度とされる。このような構成のロッド部１２は、曲げ方向への荷重によって撓みながら弾性変形し、当該荷重を解放するともとの直線状の姿勢に復元する。
【００２５】
球状部１３は、保持部１の先端に位置する丸みを帯びた部分であり、ロッド部１２の先端断面の直径Ｄ２よりも大きな直径を有する球面状とされている。球状部１３の直径Ｄ３は、たとえば１２〜１５ｍｍ程度とされる。
【００２６】
錐形部１１は、基端側から先端側に向けて先細りテーパ状となっており、たとえば円錐形状あるいは外側に凸となるように緩やかに膨らむ錐形状とされている。錐形部１１の長手軸方向Ｘの寸法Ｌ２は、たとえば１５〜２５ｍｍ程度とされており、たとえばロッド部１２の長手軸方向Ｘの寸法Ｌ１の１／３０〜１／１０程度と小さくされている。錐形部１１の基端断面の直径Ｄ４は、たとえば１８〜２２ｍｍ程度とされ、錐形部１１の先端断面の直径Ｄ５（Ｄ１）は、たとえば１２〜１５ｍｍ程度とされる。また、錐形部１１のテーパ率（（Ｄ４−Ｄ１）／Ｌ２）は、たとえば１／１０〜１／２程度とされている。錐形部１１のテーパ率は、ロッド部１２のテーパ率の１０〜１００倍程度とされる。
【００２７】
錐形部１１には、基端側に延びる連結軸１４が一体的に設けられている。この連結軸１４が後述する柄２の連結部２１に内挿された状態にて、ビス止めなどの適宜手段によって保持部１（連結軸１４）と柄２とが互いに連結される。この連結時において、錐形部１１は、柄２につながっている。
【００２８】
柄２は、保持部１を連結して使用者が手で握るものであり、全体として筒状を呈している。図１に表れているように、柄２の先端側には、保持部１を連結するための連結部２１が設けられており、この連結部２１から柄２の基端側へと延びる部分は、使用者が手で握る把持部２２として設けられている。柄２は、たとえばポリプロピレンなどの樹脂により一体形成されたものである。
【００２９】
連結部２１の外側面には、フック部２３が設けられている。フック部２３は、保持部１側に開放するように屈曲状に延出して形成されている。また、柄２の適部には、後述する清掃部材３の口紐３３を掛け止めるための係止片２４が設けられている。本実施形態では、係止片２４は、フック部２３の外面から突出して形成されている。
【００３０】
把持部２２は、使用者が手で握るための部分であり、この把持部２２の外側面の適部には、手に馴染むように凹部２２１が形成されている。また、把持部２２には、図示しないさらに別の柄を差し込んで連結するための連結孔２２２が設けられている。使用者は、把持部２２に別の柄を継ぎ足すことにより、柄全体の長さを伸ばして比較的高い位置の清掃対象面にも清掃具Ａを用いることができる。
【００３１】
清掃部材３は、清掃対象面に付着した塵埃を払拭するのに適したものである。図３に表れているように、清掃部材３は、先端側が閉じられた筒部３１と、筒部３１の周囲全体に設けられた払拭材３２と（同図において仮想線で輪郭のみを示す）、筒部３１の挿入口３１１を絞るための口紐３３とを有する。清掃部材３のサイズは、保持部１が長尺であることに対応して、比較的に大とされている。
【００３２】
筒部３１は、たとえば帯状の不織布を重ね合わせ、これらの先端側縁および両側縁どうしを接合することによって細長筒状に形成されたものである。筒部３１の基端側は、保持部１を挿入する挿入口３１１として用いられる。挿入口３１１の縁周りには、口紐３３を環状に通す縁取り部３４が設けられている。口紐３３は、たとえば紐を環状に結んだものであり、図示しない結び目部分には、解けないようにするためのキャップ体３５が取り付けられている。縁取り部３４から外部に出た口紐３３の一部ないしキャップ体３５を引っ張ると、挿入口３１１が絞られる。払拭材３２は、塵埃を払い取るのに適した乾式のものであり、たとえば多数のマイクロファイバー糸からなる。
【００３３】
清掃部材３は、柄２に連結された保持部１を筒部３１の先端側まで挿入した後、口紐３３を引っ張って挿入口３１１を絞り、さらに縁取り部３４から外部に出て輪状になった口紐３３の部分を柄２の係止片２４に引っ掛けることにより、保持部１に確実に装着される（図１参照）。これにより、清掃時には、保持部１から清掃部材３が抜けるといったことはなく、使用者は、清掃部材３の脱落に気を使うことなく清掃作業を行うことができる。
【００３４】
次に、上記清掃具Ａの作用について説明する。
【００３５】
この清掃具Ａを用いて清掃作業を行う際には、図４および図５に表れているように、たとえば室内の壁や床、天井などの清掃対象面Ｓに対し、清掃部材３を装着した保持部１の先端を押しつけることにより、ロッド部１２を撓ませることができる。このため、清掃対象面Ｓに対して清掃部材３を十分に接触させて清掃することができる。
【００３６】
保持部１の大半を占める長棒状のロッド部１２は、基端側から先端側に向かうにつれて断面積が漸次的に減少する緩やかなテーパ状とされており、弾性撓み変形可能となっている。このようにロッド部１２が緩やかなテーパ状であることにより、保持部１の先端を清掃対象面Ｓに押しつける際には、比較的小さな荷重Ｐを付与することによってロッド部１２の先端寄りの部分をスムーズに撓ませることができる（図４参照）。そして、保持部１を押しつける荷重Ｐを徐々に大きくすることにより、ロッド部１２の略全域を撓ませて、比較的にサイズの大きな清掃部材３の広範囲を、清掃対象面Ｓに接触させることができる（図５参照）。したがって、上記構成によれば、荷重Ｐを調節することにより、清掃部材３については先端寄りの狭い範囲ないし略全体にわたる広い範囲を適宜切り替えて清掃対象面Ｓに接触させることができ、優れた使用感をもって使い勝手良く用いることができる。また、ロッド部１２のテーパ率が１／２００〜１／５０程度の緩やかなテーパ状とされていることにより、上記した使い勝手の良さが適切に発揮される。
【００３７】
また、ロッド部１２がテーパ状とされていることにより、清掃対象面Ｓに対して保持部１の先端を押し付けて、清掃部材３の広範囲を清掃対象面Ｓに接触させた際に、ロッド部１２の長手軸方向の各所における曲げ応力は、ロッド部の断面が一様である場合に比べて、より均一となる。したがって、清掃対象面Ｓに保持部１を押し付けながら行う清掃において、清掃対象面Ｓに対し、ロッド部１２の長手軸方向の各所においてより均一な押圧力を付与することができる。これにより、清掃部材３の略全体にわたる広い範囲を清掃対象面Ｓに接触させて清掃する場合においても、当該接触部分を万遍なく清掃することが可能であり、使い勝手がより良い。
【００３８】
さらに、長棒状のロッド部１２がテーパ状とされていることにより、たとえば図６に表れているように、入り組んだ狭い隙間Ｇに囲まれた清掃対象面Ｓを清掃する際においても、ロッド部１２の先端を当該隙間Ｇに追従させて進入させることが可能である。したがって、本実施形態の清掃具Ａによれば、種々の清掃対象面Ｓに対して使い勝手良く用いることができる。
【００３９】
保持部１の先端には、丸みを帯びた球状部１３が設けられているため、保持部１の先端を清掃対象面Ｓに押し付ける際の感触が柔らかく、使い勝手が良い。また、たとえば意図せずに保持部１の先端で清掃対象面Ｓ等を突いてしまった場合において、清掃対象面Ｓ等を傷付けるといった不都合は防止され、安全面においても優れている。
【００４０】
ロッド部１２の基端側に隣接する錐形部１１は、柄２とロッド部１２との間に挟まれており、これら柄２およびロッド部１２をつなぐ役割を果たしている。この錐形部１１の長手軸方向Ｘにおける寸法Ｌ２は、ロッド部１２の長手軸方向Ｘにおける寸法Ｌ１よりも十分に小さくされており、また、錐形部１１は、ロッド部１２に比べて急なテーパ状とされている。このようなコンパクトな錐形部１１を設けることにより、柄２およびロッド部１２間を所望の径方向寸法に調整しつつ、適度な剛性をもたせてつなぐことができる。
【００４１】
本実施形態において、柄２の外側面には、保持部１側に開放する屈曲状のフック部２３が延出して形成されている。これにより、清掃具Ａの不使用時には、たとえばフック部２３を使用者のベルトや清掃用カートの縁などの適所に引っ掛けることにより、保持部１の先端が下を向く姿勢で吊下げておくことが可能であり、便利である。
【００４２】
清掃部材３の口紐３３を掛け止めるための係止片２４は、フック部２３の外面から突出して設けられている。このような構成によれば、口紐３３をフック部２３の外側に回り込ませることで係止片２４に引っ掛けることが可能であり、口紐３３を掛け止める作業を容易に行うことができる。
【００４３】
以上、本発明の具体的な実施形態を説明したが、本発明はこれに限定されるものではなく、発明の思想から逸脱しない範囲内で種々な変更が可能である。本発明に係る清掃具用のホルダ、および清掃具の各部の具体的な形状や材質なども、上記実施形態に限定されるものではない。上記実施形態において、ロッド部１２は円錐形とされていたが、たとえばロッド部として角錐形などの他の形状を採用してもよい。
【符号の説明】
【００４４】
Ａ        清掃具
Ｓ        清掃対象面
Ｘ        長手軸方向
１        保持部
１１      錐形部
１２      ロッド部
１３      球状部
１４      連結軸
２        柄
２１      連結部
２２      把持部
２２１    凹部
２２２    連結孔
２３      フック部
２４      係止片
３        清掃部材
３１      筒部
３１１    挿入口
３２      払拭材
３３      口紐
３４      縁取り部
３５      キャップ体
【図１】
0005964569.tif 000002
【図２】
0005964569.tif 000003
【図３】
0005964569.tif 000004
【図４】
0005964569.tif 000005
【図５】
0005964569.tif 000006
【図６】
0005964569.tif 000007